(57)【要約】  本発明はデータ伝送方法及び端末装置を提供し、該方法は、アップリンク伝送のマルチアドレス方式を決定することと、該アップリンク伝送のマルチアドレス方式に基づき、第１アップリンク信号及び第２アップリンク信号の目標時間領域リソースにおける多重化方式を決定し、該第１アップリンク信号及び第２アップリンク信号は端末装置が該目標時間領域リソースにおいて同時に伝送するようにスケジューリングされた信号であることと、該多重化方式に基づき、該第１アップリンク信号及び／又は該第２アップリンク信号を伝送することと、を含む。本発明の実施例の方法によれば、異なるアップリンク伝送のマルチアドレス方式のシーンにおいて、アップリンク信号が衝突するのを回避し、データ伝送の信頼性を効果的に向上させることができる。
2020533827.tif 000002
【特許請求の範囲】
【請求項１】
データ伝送方法であって、
アップリンク伝送のマルチアドレス方式を決定することと、
前記アップリンク伝送のマルチアドレス方式に基づき、第１アップリンク信号及び第２アップリンク信号の目標時間領域リソースにおける多重化方式を決定し、前記第１アップリンク信号及び第２アップリンク信号は端末装置が前記目標時間領域リソースにおいて同時に伝送するようにスケジューリングされた信号であることと、
前記多重化方式に基づき、前記第１アップリンク信号及び／又は前記第２アップリンク信号を伝送することと、を含むことを特徴とするデータ伝送方法。
【請求項２】
前記アップリンク伝送のマルチアドレス方式は物理アップリンク共有チャネル（ＰＵＳＣＨ）伝送のマルチアドレス方式であり、又は、前記アップリンク伝送のマルチアドレス方式は物理アップリンク制御チャネル（ＰＵＣＣＨ）伝送のマルチアドレス方式であることを特徴とする請求項１に記載の方法。
【請求項３】
前記アップリンク伝送のマルチアドレス方式は離散フーリエ変換−拡散−直交周波数分割多重（ＤＦＴ−Ｓ−ＯＦＤＭ）及びサイクリックプリフィックス−直交周波数分割多重（ＣＰ−ＯＦＤＭ）を含むことを特徴とする請求項１又は２に記載の方法。
【請求項４】
前記アップリンク伝送のマルチアドレス方式に基づき、第１アップリンク信号及び第２アップリンク信号の目標時間領域リソースにおける多重化方式を決定することは、
前記アップリンク伝送のマルチアドレス方式がＣＰ−ＯＦＤＭである場合、前記目標時間領域リソースにおいて前記第１アップリンク信号及び前記第２アップリンク信号を同時に伝送することを含むことを特徴とする請求項１〜３のいずれか１項に記載の方法。
【請求項５】
前記アップリンク伝送のマルチアドレス方式がＣＰ−ＯＦＤＭである場合、前記目標時間領域リソースにおいて前記第１アップリンク信号及び前記第２アップリンク信号を同時に伝送することは、
前記第１アップリンク信号の占有する周波数領域リソースと第２アップリンク信号の占有する周波数領域リソースとが重複しない場合、周波数分割多重化方式で前記目標時間領域リソースにおいて前記第１アップリンク信号及び前記第２アップリンク信号を同時に伝送することを含むことを特徴とする請求項４に記載の方法。
【請求項６】
前記アップリンク伝送のマルチアドレス方式がＣＰ−ＯＦＤＭである場合、前記目標時間領域リソースにおいて前記第１アップリンク信号及び前記第２アップリンク信号を同時に伝送することは、
前記第１アップリンク信号の占有する周波数領域リソースと第２アップリンク信号の占有する周波数領域リソースとが部分的又は全体的に重複する場合、重複する周波数領域リソースにおいて、前記第１アップリンク信号及び前記第２アップリンク信号を同時に送信することを含むことを特徴とする請求項４に記載の方法。
【請求項７】
前記アップリンク伝送のマルチアドレス方式に基づき、第１アップリンク信号及び第２アップリンク信号の目標時間領域リソースにおける多重化方式を決定することは、
前記アップリンク伝送のマルチアドレス方式がＣＰ−ＯＦＤＭであって、前記第１アップリンク信号の占有する周波数領域リソースと第２アップリンク信号の占有する周波数領域リソースとが部分的又は全体的に重複する場合、前記第１アップリンク信号及び前記第２アップリンク信号において、第３アップリンク信号を決定することと、
重複する周波数領域リソースにおいて、前記第３アップリンク信号を送信することと、を含むことを特徴とする請求項１〜３のいずれか１項に記載の方法。
【請求項８】
前記アップリンク伝送のマルチアドレス方式に基づき、第１アップリンク信号及び第２アップリンク信号の目標時間領域リソースにおける多重化方式を決定することは、
前記アップリンク伝送のマルチアドレス方式がＤＦＴ−Ｓ−ＯＦＤＭである場合、前記第１アップリンク信号及び前記第２アップリンク信号において、第３アップリンク信号を決定することと、
前記目標時間領域リソースにおいて、前記第３アップリンク信号を送信することと、を含むことを特徴とする請求項１〜３のいずれか１項に記載の方法。
【請求項９】
前記第１アップリンク信号及び前記第２アップリンク信号において、第３アップリンク信号を決定することは、
前記第１アップリンク信号の優先度及び前記第２アップリンク信号の優先度を決定することと、
前記第１アップリンク信号及び前記第２アップリンク信号において、前記第１アップリンク信号の優先度及び前記第２アップリンク信号の優先度に基づいて前記第３アップリンク信号を決定することと、を含むことを特徴とする請求項７又は８に記載の方法。
【請求項１０】
前記第１アップリンク信号の優先度及び前記第２アップリンク信号の優先度を決定することは、
前記第１アップリンク信号の属する信号タイプ及び前記第２アップリンク信号の属する信号タイプに基づき、第１基準に従って前記第１アップリンク信号の優先度及び前記第２アップリンク信号の優先度を決定し、前記第１基準は複数の信号タイプの間の優先度関係を含み、前記複数の信号タイプは前記第１アップリンク信号の属する信号タイプ及び前記第２アップリンク信号の属する信号タイプを含むことを含むことを特徴とする請求項９に記載の方法。
【請求項１１】
前記複数の信号タイプは、
サウンディング基準信号（ＳＲＳ）、物理アップリンク制御チャネル（ＰＵＣＣＨ）、位相追跡基準信号（ＰＴＲＳ）及び物理アップリンク共有チャネル（ＰＵＳＣＨ）を含むことを特徴とする請求項１０に記載の方法。
【請求項１２】
前記第１基準は、
前記ＰＵＣＣＨの優先度が前記ＰＵＳＣＨの優先度より高い、前記ＰＵＣＣＨの優先度が前記ＳＲＳの優先度より高い、前記ＰＵＣＣＨの優先度が前記ＰＴＲＳの優先度より高い、前記ＰＴＲＳの優先度が前記ＳＲＳの優先度より高い、及び前記ＰＵＳＣＨの優先度が前記ＳＲＳの優先度より高いという基準のうちの少なくとも１つを含むことを特徴とする請求項１１に記載の方法。
【請求項１３】
前記第１アップリンク信号の優先度及び前記第２アップリンク信号の優先度を決定することは、
前記第１アップリンク信号及び前記第２アップリンク信号がいずれも第１信号タイプに属する場合、前記第１アップリンク信号に含まれる情報及び前記第２アップリンク信号に含まれる情報に基づき、第２基準に従って前記第１アップリンク信号の優先度及び前記第２アップリンク信号の優先度を決定し、前記第２基準は前記第１信号タイプにおける複数のアップリンク信号の間の優先度関係を含むことを含むことを特徴とする請求項９〜１２のいずれか１項に記載の方法。
【請求項１４】
前記第２基準は、
肯定応答／否定応答（ＡＣＫ／ＮＡＣＫ）情報を含むＰＵＣＣＨの優先度がチャネル状態情報（ＣＳＩ）を含むＰＵＣＣＨの優先度より高い、アップリンク制御情報（ＵＣＩ）を含むＰＵＳＣＨの優先度がＵＣＩを含まないＰＵＳＣＨの優先度より高い、及び超高信頼性超低遅延（ＵＲＬＬＣ）データを含むＰＵＳＣＨの優先度が拡張モバイルブロードバンド（ｅＭＢＢ）データを含むＰＵＳＣＨの優先度より高いという基準のうちの少なくとも１つを含むことを特徴とする請求項１３に記載の方法。
【請求項１５】
前記第１アップリンク信号の優先度及び前記第２アップリンク信号の優先度を決定することは、
前記第１アップリンク信号に対応するスケジューリングシグナリング及び前記第２アップリンク信号に対応するスケジューリングシグナリングに基づき、前記第１アップリンク信号の優先度及び前記第２アップリンク信号の優先度を決定することを含むことを特徴とする請求項９〜１４のいずれか１項に記載の方法。
【請求項１６】
前記スケジューリングシグナリングはダウンリンク制御情報（ＤＣＩ）であり、前記ＤＣＩはアップリンク信号優先度を示すための指示情報を含み、
前記第１アップリンク信号に対応するスケジューリングシグナリング及び前記第２アップリンク信号に対応するスケジューリングシグナリングに基づき、前記第１アップリンク信号の優先度及び前記第２アップリンク信号の優先度を決定することは、
前記第１アップリンク信号に対応するダウンリンク制御情報（ＤＣＩ）におけるアップリンク信号優先度を示すための指示情報及び前記第２アップリンク信号に対応するＤＣＩにおけるアップリンク信号優先度を示すための指示情報に基づき、前記第１アップリンク信号の優先度及び前記第２アップリンク信号の優先度を決定することを含むことを特徴とする請求項１５に記載の方法。
【請求項１７】
前記スケジューリングシグナリングはダウンリンク制御情報（ＤＣＩ）であり、前記ＤＣＩはアップリンク信号の変調及び符号化ポリシー（ＭＣＳ）インデックス値を含み、前記ＭＣＳインデックス値は前記アップリンク信号の優先度に正比例又は反比例し、
前記第１アップリンク信号に対応するスケジューリングシグナリング及び前記第２アップリンク信号に対応するスケジューリングシグナリングに基づき、前記第１アップリンク信号の優先度及び前記第２アップリンク信号の優先度を決定することは、
前記第１アップリンク信号に対応するダウンリンク制御情報（ＤＣＩ）におけるＭＣＳインデックス値及び前記第２アップリンク信号に対応するＤＣＩにおけるＭＣＳインデックス値に基づき、前記第１アップリンク信号の優先度及び前記第２アップリンク信号の優先度を決定することを含むことを特徴とする請求項１５に記載の方法。
【請求項１８】
前記第１アップリンク信号の優先度及び前記第２アップリンク信号の優先度を決定することは、
前記第１アップリンク信号に対応するスケジューリングシグナリング及び前記第２アップリンク信号に対応するスケジューリングシグナリングの受信順序に基づき、前記第１アップリンク信号の優先度及び前記第２アップリンク信号の優先度を決定することを含み、前記受信順序は前記第１アップリンク信号及び前記第２アップリンク信号の優先度順序に正比例又は反比例することを特徴とする請求項９〜１７のいずれか１項に記載の方法。
【請求項１９】
前記第１アップリンク信号の優先度及び前記第２アップリンク信号の優先度を決定することは、
前記第１アップリンク信号に対応するセルタイプ及び前記第２アップリンク信号に対応するセルタイプに基づき、前記第１アップリンク信号の優先度及び前記第２アップリンク信号の優先度を決定することを含み、前記端末装置のサービングセルの優先度が前記サービングセル以外のセルの優先度より高いことを特徴とする請求項９〜１８のいずれか１項に記載の方法。
【請求項２０】
前記第１アップリンク信号及び前記第２アップリンク信号は前記端末装置が同じ周波数領域リソース集合内において同時に伝送するようにスケジューリングされたアップリンク信号であり、周波数領域リソース集合は、
キャリア、狭帯域幅、サブバンド及び物理リソースブロック（ＰＲＢ）集合のうちのいずれか１つを含むことを特徴とする請求項１〜１９のいずれか１項に記載の方法。
【請求項２１】
端末装置であって、
アップリンク伝送のマルチアドレス方式を決定することと、前記アップリンク伝送のマルチアドレス方式に基づき、第１アップリンク信号及び第２アップリンク信号の目標時間領域リソースにおける多重化方式を決定することとに用いられ、前記第１アップリンク信号及び第２アップリンク信号は端末装置が前記目標時間領域リソースにおいて同時に伝送するようにスケジューリングされた信号である処理ユニットと、
前記多重化方式に基づき、前記第１アップリンク信号及び／又は前記第２アップリンク信号を伝送するための送受信ユニットと、を備えることを特徴とする端末装置。
【請求項２２】
前記アップリンク伝送のマルチアドレス方式は物理アップリンク共有チャネル（ＰＵＳＣＨ）伝送のマルチアドレス方式であり、又は、前記アップリンク伝送のマルチアドレス方式は物理アップリンク制御チャネル（ＰＵＣＣＨ）伝送のマルチアドレス方式であることを特徴とする請求項２１に記載の端末装置。
【請求項２３】
前記アップリンク伝送のマルチアドレス方式は離散フーリエ変換−拡散−直交周波数分割多重（ＤＦＴ−Ｓ−ＯＦＤＭ）及びサイクリックプリフィックス−直交周波数分割多重（ＣＰ−ＯＦＤＭ）を含むことを特徴とする請求項２１又は２２に記載の端末装置。
【請求項２４】
前記処理ユニットは、具体的に、
前記アップリンク伝送のマルチアドレス方式がＣＰ−ＯＦＤＭである場合、前記目標時間領域リソースにおいて前記第１アップリンク信号及び前記第２アップリンク信号を同時に伝送することに用いられることを特徴とする請求項２１〜２３のいずれか１項に記載の端末装置。
【請求項２５】
前記送受信ユニットは、具体的に、
前記第１アップリンク信号の占有する周波数領域リソースと第２アップリンク信号の占有する周波数領域リソースとが重複しない場合、周波数分割多重化方式で前記目標時間領域リソースにおいて前記第１アップリンク信号及び前記第２アップリンク信号を同時に伝送することに用いられることを特徴とする請求項２４に記載の端末装置。
【請求項２６】
前記送受信ユニットは、具体的に、
前記第１アップリンク信号の占有する周波数領域リソースと第２アップリンク信号の占有する周波数領域リソースとが部分的又は全体的に重複する場合、重複する周波数領域リソースにおいて、前記第１アップリンク信号及び前記第２アップリンク信号を同時に送信することに用いられることを特徴とする請求項２４に記載の端末装置。
【請求項２７】
前記処理ユニットは、具体的に、
前記アップリンク伝送のマルチアドレス方式がＣＰ−ＯＦＤＭであって、前記第１アップリンク信号の占有する周波数領域リソースと第２アップリンク信号の占有する周波数領域リソースとが部分的又は全体的に重複する場合、前記第１アップリンク信号及び前記第２アップリンク信号において、第３アップリンク信号を決定することと、
重複する周波数領域リソースにおいて、前記第３アップリンク信号を送信することとに用いられることを特徴とする請求項２１〜２３のいずれか１項に記載の端末装置。
【請求項２８】
前記処理ユニットは、具体的に、
前記アップリンク伝送のマルチアドレス方式がＤＦＴ−Ｓ−ＯＦＤＭである場合、前記第１アップリンク信号及び前記第２アップリンク信号において、第３アップリンク信号を決定することと、
前記目標時間領域リソースにおいて、前記第３アップリンク信号を送信することとに用いられることを特徴とする請求項２１〜２３のいずれか１項に記載の端末装置。
【請求項２９】
前記処理ユニットは、更に、具体的に、
前記第１アップリンク信号の優先度及び前記第２アップリンク信号の優先度を決定することと、
前記第１アップリンク信号及び前記第２アップリンク信号において、前記第１アップリンク信号の優先度及び前記第２アップリンク信号の優先度に基づいて前記第３アップリンク信号を決定することとに用いられることを特徴とする請求項２７又は２８に記載の端末装置。
【請求項３０】
前記処理ユニットは、更に、具体的に、
前記第１アップリンク信号の属する信号タイプ及び前記第２アップリンク信号の属する信号タイプに基づき、第１基準に従って前記第１アップリンク信号の優先度及び前記第２アップリンク信号の優先度を決定することに用いられ、前記第１基準は複数の信号タイプの間の優先度関係を含み、前記複数の信号タイプは前記第１アップリンク信号の属する信号タイプ及び前記第２アップリンク信号の属する信号タイプを含むことを特徴とする請求項２９に記載の端末装置。
【請求項３１】
前記複数の信号タイプは、
サウンディング基準信号（ＳＲＳ）、物理アップリンク制御チャネル（ＰＵＣＣＨ）、位相追跡基準信号（ＰＴＲＳ）及び物理アップリンク共有チャネル（ＰＵＳＣＨ）を含むことを特徴とする請求項３０に記載の端末装置。
【請求項３２】
前記第１基準は、
前記ＰＵＣＣＨの優先度が前記ＰＵＳＣＨの優先度より高い、前記ＰＵＣＣＨの優先度が前記ＳＲＳの優先度より高い、前記ＰＵＣＣＨの優先度が前記ＰＴＲＳの優先度より高い、前記ＰＴＲＳの優先度が前記ＳＲＳの優先度より高い、及び前記ＰＵＳＣＨの優先度が前記ＳＲＳの優先度より高いという基準のうちの少なくとも１つを含むことを特徴とする請求項３１に記載の端末装置。
【請求項３３】
前記処理ユニットは、更に、具体的に、
前記第１アップリンク信号及び前記第２アップリンク信号がいずれも第１信号タイプに属する場合、前記第１アップリンク信号に含まれる情報及び前記第２アップリンク信号に含まれる情報に基づき、第２基準に従って前記第１アップリンク信号の優先度及び前記第２アップリンク信号の優先度を決定することに用いられ、前記第２基準は前記第１信号タイプにおける複数のアップリンク信号の間の優先度関係を含むことを特徴とする請求項２９〜３２のいずれか１項に記載の端末装置。
【請求項３４】
前記第２基準は、
肯定応答／否定応答（ＡＣＫ／ＮＡＣＫ）情報を含むＰＵＣＣＨの優先度がチャネル状態情報（ＣＳＩ）を含むＰＵＣＣＨの優先度より高い、アップリンク制御情報（ＵＣＩ）を含むＰＵＳＣＨの優先度がＵＣＩを含まないＰＵＳＣＨの優先度より高い、及び超高信頼性超低遅延（ＵＲＬＬＣ）データを含むＰＵＳＣＨの優先度が拡張モバイルブロードバンド（ｅＭＢＢ）データを含むＰＵＳＣＨの優先度より高いという基準のうちの少なくとも１つを含むことを特徴とする請求項３３に記載の端末装置。
【請求項３５】
前記処理ユニットは、更に、具体的に、
前記第１アップリンク信号に対応するスケジューリングシグナリング及び前記第２アップリンク信号に対応するスケジューリングシグナリングに基づき、前記第１アップリンク信号の優先度及び前記第２アップリンク信号の優先度を決定することに用いられることを特徴とする請求項２９〜３４のいずれか１項に記載の端末装置。
【請求項３６】
前記スケジューリングシグナリングはダウンリンク制御情報（ＤＣＩ）であり、前記ＤＣＩはアップリンク信号優先度を示すための指示情報を含み、
前記処理ユニットは、更に、具体的に、
前記第１アップリンク信号に対応するダウンリンク制御情報（ＤＣＩ）におけるアップリンク信号優先度を示すための指示情報及び前記第２アップリンク信号に対応するＤＣＩにおけるアップリンク信号優先度を示すための指示情報に基づき、前記第１アップリンク信号の優先度及び前記第２アップリンク信号の優先度を決定することに用いられることを特徴とする請求項３５に記載の端末装置。
【請求項３７】
前記スケジューリングシグナリングはダウンリンク制御情報（ＤＣＩ）であり、前記ＤＣＩはアップリンク信号の変調及び符号化ポリシー（ＭＣＳ）インデックス値を含み、前記ＭＣＳインデックス値は前記アップリンク信号の優先度に正比例又は反比例し、
前記処理ユニットは、更に、具体的に、
前記第１アップリンク信号に対応するダウンリンク制御情報（ＤＣＩ）におけるＭＣＳインデックス値及び前記第２アップリンク信号に対応するＤＣＩにおけるＭＣＳインデックス値に基づき、前記第１アップリンク信号の優先度及び前記第２アップリンク信号の優先度を決定することに用いられることを特徴とする請求項３５に記載の端末装置。
【請求項３８】
前記処理ユニットは、更に、具体的に、
前記第１アップリンク信号に対応するスケジューリングシグナリング及び前記第２アップリンク信号に対応するスケジューリングシグナリングの受信順序に基づき、前記第１アップリンク信号の優先度及び前記第２アップリンク信号の優先度を決定することに用いられ、前記受信順序は前記第１アップリンク信号及び前記第２アップリンク信号の優先度順序に正比例又は反比例することを特徴とする請求項２９〜３７のいずれか１項に記載の端末装置。
【請求項３９】
前記処理ユニットは、更に、具体的に、
前記第１アップリンク信号に対応するセルタイプ及び前記第２アップリンク信号に対応するセルタイプに基づき、前記第１アップリンク信号の優先度及び前記第２アップリンク信号の優先度を決定することに用いられ、前記端末装置のサービングセルの優先度が前記サービングセル以外のセルの優先度より高いことを特徴とする請求項２９〜３８のいずれか１項に記載の端末装置。
【請求項４０】
前記第１アップリンク信号及び前記第２アップリンク信号は前記端末装置が同じ周波数領域リソース集合内において同時に伝送するようにスケジューリングされたアップリンク信号であり、周波数領域リソース集合は、
キャリア、狭帯域幅、サブバンド及び物理リソースブロック（ＰＲＢ）集合のうちのいずれか１つを含むことを特徴とする請求項２１〜３９のいずれか１項に記載の端末装置。
【発明の詳細な説明】
【技術分野】
【０００１】
本発明の実施例は通信分野に関し、より具体的に、データ伝送方法及び端末装置に関する。
【背景技術】
【０００２】
現在、第５世代移動通信技術（５Ｇ、５−Ｇｅｎｅｒａｔｉｏｎ）におけるアップリンク伝送には２つのアップリンクのためのマルチアドレス方式、すなわち離散フーリエ変換−拡散−直交周波数分割多重（ＤＦＴ−Ｓ−ＯＦＤＭ、Ｄｉｓｃｒｅｔｅ  Ｆｏｕｒｉｅｒ  Ｔｒａｎｓｆｏｒｍ−Ｓｐｒｅａｄ−Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）及びサイクリックプリフィックス−直交周波数分割多重（ＣＰ−ＯＦＤＭ、Ｃｙｃｌｉｃ  Ｐｒｅｆｉｘ−Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）が導入されている。前者はアップリンク単層伝送にしか使用できず、後者はアップリンク単層又は多層伝送に使用されることができる。端末がどのマルチアドレス方式を用いるかは、ネットワーク側が端末のアップリンクチャネル品質に基づいて設定してもよい。
【０００３】
同時に、５Ｇにおいて複数の送受信ポイント（ＴＲＰ、Ｔｒａｎｓｍｉｓｓｉｏｎ  Ｒｅｃｅｐｔｉｏｎ  Ｐｏｉｎｔ）は１つの端末を単独にスケジューリングしてデータ伝送させることができる。例えば、端末は１つのスロットにおいて異なるＴＲＰからの複数の物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）を検出し、これらのチャネルは複数の単独アップリンクデータ伝送のスケジューリングに使用され、且つこれらの単独アップリンク伝送はちょうど同じスロットにスケジューリングされる可能性がある。
【０００４】
しかしながら、ＤＦＴ−Ｓ−ＯＦＤＭマルチアドレス方式を用いる端末は複数のアップリンク信号を同時に伝送できないため、複数のアップリンク信号が同時に転送するようにスケジューリングされた場合、該複数のアップリンク信号が衝突する恐れがあり、それによって、アップリンク信号の伝送に失敗し、データ伝送の信頼性を低下させてしまう可能性がある。
【発明の概要】
【発明が解決しようとする課題】
【０００５】
本発明はデータ伝送の信頼性を向上させることのできるデータ伝送方法及び端末装置を提供する。
【課題を解決するための手段】
【０００６】
第１態様では、データ伝送方法を提供し、前記方法は、
アップリンク伝送のマルチアドレス方式を決定することと、
前記アップリンク伝送のマルチアドレス方式に基づき、第１アップリンク信号及び第２アップリンク信号の目標時間領域リソースにおける多重化方式を決定し、前記第１アップリンク信号及び第２アップリンク信号は端末装置が前記目標時間領域リソースにおいて同時に伝送するようにスケジューリングされた信号であることと、
前記多重化方式に基づき、前記第１アップリンク信号及び／又は前記第２アップリンク信号を伝送することと、を含む。
【０００７】
いくつかの可能な実現方式では、前記アップリンク伝送のマルチアドレス方式は物理アップリンク共有チャネル（ＰＵＳＣＨ）伝送のマルチアドレス方式であり、又は、前記アップリンク伝送のマルチアドレス方式は物理アップリンク制御チャネル（ＰＵＣＣＨ）伝送のマルチアドレス方式である。
【０００８】
本発明の実施例の方法によれば、端末装置が現在使用中のアップリンク伝送のマルチアドレス方式に基づき、現在同時に伝送するようにスケジューリングされた複数のアップリンク信号の伝送方式を決定することができ、これにより、該複数のアップリンク信号が衝突するのを回避することができる。
【０００９】
更に、シングルキャリアの場合、端末装置が該現在同時に伝送するようにスケジューリングされた複数の異なる信号の優先度に基づき、伝送するアップリンク信号を決定することができ、これにより、信号が衝突するのを回避し、データ伝送の信頼性を向上させることができる。即ち、本発明の実施例の方法によれば、異なるアップリンク伝送のマルチアドレス方式のシーンにおいて、アップリンク信号が衝突するのを回避し、データ伝送の信頼性を向上させることができる。
【００１０】
いくつかの可能な実現方式では、前記アップリンク伝送のマルチアドレス方式は離散フーリエ変換−拡散−直交周波数分割多重（ＤＦＴ−Ｓ−ＯＦＤＭ）及びサイクリックプリフィックス−直交周波数分割多重（ＣＰ−ＯＦＤＭ）を含む。
【００１１】
いくつかの可能な実現方式では、前記アップリンク伝送のマルチアドレス方式に基づき、第１アップリンク信号及び第２アップリンク信号の目標時間領域リソースにおける多重化方式を決定することは、
前記アップリンク伝送のマルチアドレス方式がＣＰ−ＯＦＤＭである場合、前記目標時間領域リソースにおいて前記第１アップリンク信号及び前記第２アップリンク信号を同時に伝送することを含む。
【００１２】
いくつかの可能な実現方式では、前記アップリンク伝送のマルチアドレス方式がＣＰ−ＯＦＤＭである場合、前記目標時間領域リソースにおいて前記第１アップリンク信号及び前記第２アップリンク信号を同時に伝送することは、
前記第１アップリンク信号の占有する周波数領域リソースと第２アップリンク信号の占有する周波数領域リソースとが重複しない場合、周波数分割多重化方式で前記目標時間領域リソースにおいて前記第１アップリンク信号及び前記第２アップリンク信号を同時に伝送することを含む。
【００１３】
いくつかの可能な実現方式では、前記アップリンク伝送のマルチアドレス方式がＣＰ−ＯＦＤＭである場合、前記目標時間領域リソースにおいて前記第１アップリンク信号及び前記第２アップリンク信号を同時に伝送することは、
前記第１アップリンク信号の占有する周波数領域リソースと第２アップリンク信号の占有する周波数領域リソースとが部分的又は全体的に重複する場合、重複する周波数領域リソースにおいて、前記第１アップリンク信号及び前記第２アップリンク信号を同時に送信することを含む。
【００１４】
いくつかの可能な実現方式では、前記アップリンク伝送のマルチアドレス方式に基づき、第１アップリンク信号及び第２アップリンク信号の目標時間領域リソースにおける多重化方式を決定することは、
前記アップリンク伝送のマルチアドレス方式がＣＰ−ＯＦＤＭであって、前記第１アップリンク信号の占有する周波数領域リソースと第２アップリンク信号の占有する周波数領域リソースとが部分的又は全体的に重複する場合、前記第１アップリンク信号及び前記第２アップリンク信号において、第３アップリンク信号を決定することと、重複する周波数領域リソースにおいて、前記第３アップリンク信号を送信することと、を含む。
【００１５】
いくつかの可能な実現方式では、前記アップリンク伝送のマルチアドレス方式に基づき、第１アップリンク信号及び第２アップリンク信号の目標時間領域リソースにおける多重化方式を決定することは、
前記アップリンク伝送のマルチアドレス方式がＤＦＴ−Ｓ−ＯＦＤＭである場合、前記第１アップリンク信号及び前記第２アップリンク信号において、第３アップリンク信号を決定することと、前記目標時間領域リソースにおいて、前記第３アップリンク信号を送信することと、を含む。
【００１６】
本発明の実施例の方法によれば、端末装置が該現在同時に伝送するようにスケジューリングされた複数の異なる信号の優先度に基づき、伝送するアップリンク信号を決定することができ、これにより、信号が衝突するのを回避し、データ伝送の信頼性を向上させることができる。
【００１７】
いくつかの可能な実現方式では、前記第１アップリンク信号及び前記第２アップリンク信号において、第３アップリンク信号を決定することは、
前記第１アップリンク信号の優先度及び前記第２アップリンク信号の優先度を決定することと、前記第１アップリンク信号及び前記第２アップリンク信号において、前記第１アップリンク信号の優先度及び前記第２アップリンク信号の優先度に基づいて前記第３アップリンク信号を決定することと、を含む。
【００１８】
いくつかの可能な実現方式では、前記第１アップリンク信号の優先度及び前記第２アップリンク信号の優先度を決定することは、
前記第１アップリンク信号の属する信号タイプ及び前記第２アップリンク信号の属する信号タイプに基づき、第１基準に従って前記第１アップリンク信号の優先度及び前記第２アップリンク信号の優先度を決定し、前記第１基準は複数の信号タイプの間の優先度関係を含み、前記複数の信号タイプは前記第１アップリンク信号の属する信号タイプ及び前記第２アップリンク信号の属する信号タイプを含むことを含む。
【００１９】
いくつかの可能な実現方式では、前記複数の信号タイプは、
サウンディング基準信号（ＳＲＳ）、物理アップリンク制御チャネル（ＰＵＣＣＨ）、位相追跡基準信号（ＰＴＲＳ）及び物理アップリンク共有チャネル（ＰＵＳＣＨ）を含む。
【００２０】
いくつかの可能な実現方式では、前記第１基準は、
前記ＰＵＣＣＨの優先度が前記ＰＵＳＣＨの優先度より高い、前記ＰＵＣＣＨの優先度が前記ＳＲＳの優先度より高い、前記ＰＵＣＣＨの優先度が前記ＰＴＲＳの優先度より高い、前記ＰＴＲＳの優先度が前記ＳＲＳの優先度より高い、及び前記ＰＵＳＣＨの優先度が前記ＳＲＳの優先度より高いという基準のうちの少なくとも１つを含む。
【００２１】
いくつかの可能な実現方式では、前記第１アップリンク信号の優先度及び前記第２アップリンク信号の優先度を決定することは、
前記第１アップリンク信号及び前記第２アップリンク信号がいずれも第１信号タイプに属する場合、前記第１アップリンク信号に含まれる情報及び前記第２アップリンク信号に含まれる情報に基づき、第２基準に従って前記第１アップリンク信号の優先度及び前記第２アップリンク信号の優先度を決定し、前記第２基準は前記第１信号タイプにおける複数のアップリンク信号の間の優先度関係を含むことを含む。
【００２２】
いくつかの可能な実現方式では、前記第２基準は、
肯定応答／否定応答（ＡＣＫ／ＮＡＣＫ）情報を含むＰＵＣＣＨの優先度がチャネル状態情報（ＣＳＩ）を含むＰＵＣＣＨの優先度より高い、アップリンク制御情報（ＵＣＩ）を含むＰＵＳＣＨの優先度がＵＣＩを含まないＰＵＳＣＨの優先度より高い、及び超高信頼性超低遅延（ＵＲＬＬＣ）データを含むＰＵＳＣＨの優先度が拡張モバイルブロードバンド（ｅＭＢＢ）データを含むＰＵＳＣＨの優先度より高いという基準のうちの少なくとも１つを含む。
【００２３】
いくつかの可能な実現方式では、前記第１アップリンク信号の優先度及び前記第２アップリンク信号の優先度を決定することは、
前記第１アップリンク信号に対応するスケジューリングシグナリング及び前記第２アップリンク信号に対応するスケジューリングシグナリングに基づき、前記第１アップリンク信号の優先度及び前記第２アップリンク信号の優先度を決定することを含む。
【００２４】
いくつかの可能な実現方式では、前記スケジューリングシグナリングはダウンリンク制御情報（ＤＣＩ）であり、前記ＤＣＩはアップリンク信号優先度を示すための指示情報を含み、
前記第１アップリンク信号に対応するスケジューリングシグナリング及び前記第２アップリンク信号に対応するスケジューリングシグナリングに基づき、前記第１アップリンク信号の優先度及び前記第２アップリンク信号の優先度を決定することは、
前記第１アップリンク信号に対応するダウンリンク制御情報（ＤＣＩ）におけるアップリンク信号優先度を示すための指示情報及び前記第２アップリンク信号に対応するＤＣＩにおけるアップリンク信号優先度を示すための指示情報に基づき、前記第１アップリンク信号の優先度及び前記第２アップリンク信号の優先度を決定することを含む。
【００２５】
いくつかの可能な実現方式では、前記スケジューリングシグナリングはダウンリンク制御情報（ＤＣＩ）であり、前記ＤＣＩはアップリンク信号の変調及び符号化ポリシー（ＭＣＳ）インデックス値を含み、前記ＭＣＳインデックス値は前記アップリンク信号の優先度に正比例又は反比例し、
前記第１アップリンク信号に対応するスケジューリングシグナリング及び前記第２アップリンク信号に対応するスケジューリングシグナリングに基づき、前記第１アップリンク信号の優先度及び前記第２アップリンク信号の優先度を決定することは、
前記第１アップリンク信号に対応するダウンリンク制御情報（ＤＣＩ）におけるＭＣＳインデックス値及び前記第２アップリンク信号に対応するＤＣＩにおけるＭＣＳインデックス値に基づき、前記第１アップリンク信号の優先度及び前記第２アップリンク信号の優先度を決定することを含む。
【００２６】
いくつかの可能な実現方式では、前記第１アップリンク信号の優先度及び前記第２アップリンク信号の優先度を決定することは、
前記第１アップリンク信号に対応するスケジューリングシグナリング及び前記第２アップリンク信号に対応するスケジューリングシグナリングの受信順序に基づき、前記第１アップリンク信号の優先度及び前記第２アップリンク信号の優先度を決定することを含み、前記受信順序は前記第１アップリンク信号及び前記第２アップリンク信号の優先度順序に正比例又は反比例する。
【００２７】
いくつかの可能な実現方式では、前記第１アップリンク信号の優先度及び前記第２アップリンク信号の優先度を決定することは、
前記第１アップリンク信号に対応するセルタイプ及び前記第２アップリンク信号に対応するセルタイプに基づき、前記第１アップリンク信号の優先度及び前記第２アップリンク信号の優先度を決定することを含み、前記端末装置のサービングセルの優先度が前記サービングセル以外のセルの優先度より高い。
【００２８】
いくつかの可能な実現方式では、前記第１アップリンク信号及び前記第２アップリンク信号は前記端末装置が同じ周波数領域リソース集合内において同時に伝送するようにスケジューリングされたアップリンク信号であり、周波数領域リソース集合は、
キャリア、狭帯域幅、サブバンド及び物理リソースブロック（ＰＲＢ）集合のうちのいずれか１つを含む。
【００２９】
第２態様では、端末装置を提供し、該端末装置は、
アップリンク伝送のマルチアドレス方式を決定することと、前記アップリンク伝送のマルチアドレス方式に基づき、第１アップリンク信号及び第２アップリンク信号の目標時間領域リソースにおける多重化方式を決定し、前記第１アップリンク信号及び第２アップリンク信号は端末装置が前記目標時間領域リソースにおいて同時に伝送するようにスケジューリングされた信号であることとに用いられる処理ユニットと、
前記多重化方式に基づき、前記第１アップリンク信号及び／又は前記第２アップリンク信号を伝送するための送受信ユニットと、を備える。
【００３０】
第３態様では、端末装置を提供し、該端末装置は、
アップリンク伝送のマルチアドレス方式を決定することと、前記アップリンク伝送のマルチアドレス方式に基づき、第１アップリンク信号及び第２アップリンク信号の目標時間領域リソースにおける多重化方式を決定し、前記第１アップリンク信号及び第２アップリンク信号は端末装置が前記目標時間領域リソースにおいて同時に伝送するようにスケジューリングされた信号であることとに用いられるプロセッサと、
前記多重化方式に基づき、前記第１アップリンク信号及び／又は前記第２アップリンク信号を伝送するための送受信機と、を備える。
【００３１】
第４態様では、コンピュータ可読媒体を提供し、該コンピュータ可読媒体はコンピュータプログラムを記憶することに用いられ、該コンピュータプログラムは上記第１態様の方法実施例を実行するための命令を含む。
【００３２】
第５態様では、コンピュータチップを提供し、該コンピュータチップは入力インターフェース、出力インターフェース、少なくとも１つのプロセッサ、メモリを備え、前記プロセッサは前記メモリにおけるコードを実行することに用いられ、前記コードが実行されるとき、前記プロセッサは上記第１態様及び様々な実現方式におけるデータ伝送方法における端末装置の実行する各過程を実現することができる。
【００３３】
第６態様では、通信システムを提供し、該通信システムは上記端末装置を備える。
【図面の簡単な説明】
【００３４】
【図１】図１は本発明の実施例の応用シーンの例を示す図である。
【図２】図２は本発明の実施例のデータ伝送方法の模式的なフローチャートである。
【図３】図３は本発明の実施例の端末装置の模式的なブロック図である。
【図４】図４は本発明の実施例の端末装置の別の模式的なブロック図である。
【発明を実施するための形態】
【００３５】
以下、図面を参照しながら、本発明の実施例の技術案を説明する。
【００３６】
図１は本発明の実施例の５Ｇ通信システム１００の例を示す図である。
【００３７】
図１に示すように、通信システム１００は端末装置１１０、第１ＴＲＰ  １２１及び第２ＴＲＰ  １２２を備えてもよい。第１ＴＲＰ  １２１及び第２ＴＲＰ  １２２はそれぞれ無線インターフェースを介して端末装置１１０と通信することができる。具体的には、第１ＴＲＰ  １２１及び第２ＴＲＰ  １２２は１つの端末装置１１０をそれぞれ単独にスケジューリングしてデータ伝送させることができる。
【００３８】
例えば、端末装置１１０は１つのスロットにおいてそれぞれ第１ＴＲＰ  １２１及び第２ＴＲＰ  １２２からのＰＤＣＣＨを検出し、これらのＰＤＣＣＨは複数の単独アップリンクデータ伝送をスケジューリングすることに用いられ、且つこれらの単独アップリンク伝送はちょうど同じスロットにスケジューリングされる可能性がある。
【００３９】
しかしながら、ＤＦＴ−Ｓ−ＯＦＤＭを使用する端末が複数のアップリンク信号を同時に伝送できないため、複数のアップリンク信号が同時に転送するようにスケジューリングされた場合、該複数のアップリンク信号が衝突する恐れがあり、それによって、アップリンク信号の伝送に失敗し、データ伝送の信頼性を低下させてしまう可能性がある。
【００４０】
本発明の実施例はアップリンク信号の伝送方法を提供し、該方法によれば、端末装置１１０が現在使用中のアップリンク伝送のマルチアドレス方式に基づき、現在同時に伝送するようにスケジューリングされた複数のアップリンク信号の伝送方式を決定することができ、これにより、該複数のアップリンク信号が衝突するのを回避することができる。
【００４１】
更に、シングルキャリアの場合、端末装置１１０は該現在同時に伝送するようにスケジューリングされた複数の異なる信号の優先度に基づき、伝送するアップリンク信号を決定することができ、これにより、信号が衝突するのを回避し、データ伝送の信頼性を向上させることができる。言い換えると、本発明の実施例の方法によれば、異なるアップリンク伝送のマルチアドレス方式のシーンにおいて、アップリンク信号が衝突するのを回避し、データ伝送の信頼性を向上させることができる。
【００４２】
理解されるべきように、本発明の実施例は５Ｇ通信システム１００を例として例示的に説明するが、本発明の実施例はこれに限らない。即ち、本発明の実施例の技術案は複数のネットワーク装置が１つの端末を単独にスケジューリングしてデータ伝送させることのできる如何なる通信システムに適用されてもよい。
【００４３】
前記通信システムは例えば、モバイル通信用グローバル（ＧＳＭ（登録商標）、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ（登録商標）、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）等である。
【００４４】
本発明はネットワーク装置及び端末装置と組み合わせて各実施例を説明する。
【００４５】
ネットワーク装置１２０は信号を送受信するためのネットワーク側のいずれか１つのエンティティを指してよい。例えば、マシン通信（ＭＴＣ）のユーザー装置、ＧＳＭ（登録商標）又はＣＤＭＡにおける基地局（ＢＴＳ、Ｂａｓｅ  Ｔｒａｎｓｃｅｉｖｅｒ  Ｓｔａｔｉｏｎ）、ＷＣＤＭＡ（登録商標）における基地局（ＮｏｄｅＢ）、ＬＴＥにおける発展型基地局（ｅＮＢ又はｅＮｏｄｅＢ、Ｅｖｏｌｕｔｉｏｎａｌ  Ｎｏｄｅ  Ｂ）、５Ｇネットワークにおける基地局装置等であってよい。
【００４６】
なお、端末装置１１０はいかなる端末装置であってもよい。具体的に、端末装置１１０は無線アクセスネットワーク（ＲＡＮ、Ｒａｄｉｏ  Ａｃｃｅｓｓ  Ｎｅｔｗｏｒｋ）経由で１つ又は複数のコアネットワーク（Ｃｏｒｅ  Ｎｅｔｗｏｒｋ）と通信することができ、前記端末装置は更にアクセス端末、ユーザー装置（ＵＥ、Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスと称されてもよい。例えば、セルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末及び５Ｇネットワークにおける端末装置等であってよい。
【００４７】
図２は本発明の実施例のデータ伝送方法の模式的なフローチャートである。
【００４８】
図２に示すように、該方法は、
アップリンク伝送のマルチアドレス方式を決定する２１０と、
該アップリンク伝送のマルチアドレス方式に基づき、第１アップリンク信号及び第２アップリンク信号の目標時間領域リソースにおける多重化方式を決定する２２０と、
該多重化方式に基づき、該第１アップリンク信号及び／又は該第２アップリンク信号を伝送する２３０と、を含む。
【００４９】
具体的には、端末装置がアップリンク伝送のマルチアドレス方式を決定し、次に、端末装置が該アップリンク伝送のマルチアドレス方式に基づき、第１アップリンク信号及び第２アップリンク信号の目標時間領域リソースにおける多重化方式を決定し、該第１アップリンク信号及び該第２アップリンク信号は端末装置が該目標時間領域リソースにおいて同時に伝送するようにスケジューリングされた信号であり、最後に、端末装置が該多重化方式に基づき、該第１アップリンク信号及び／又は該第２アップリンク信号を伝送する。
【００５０】
即ち、端末装置はアップリンク伝送を行う必要があるとき、該アップリンク伝送のマルチアドレス方式に基づいて目標時間領域リソースにおける端末装置がスケジューリングされたアップリンク信号の伝送方式を決定することができる。
【００５１】
理解されるべきように、該第１アップリンク信号及び該第２アップリンク信号は単に一例であり、本発明の実施例はこれに限らない。例えば、端末装置が目標時間領域リソースにおいて同時に複数のアップリンク信号、例えば第１アップリンク信号、第２アップリンク信号及び第４アップリンク信号等を伝送するようにスケジューリングされることが必要であってもよい。
【００５２】
本発明の実施例では、該第１アップリンク信号及び該第２アップリンク信号は端末装置が目標時間領域リソースにおいて同時に伝送するようにスケジューリングされたアップリンク信号である。該目標時間領域リソースは１つ又は複数のシンボルを含んでもよく、又は、該目標時間領域リソースは１つ又は複数のスロット（ｓｌｏｔ）又はミニスロット（ｍｉｎｉ−ｓｌｏｔ）を含んでもよい。
【００５３】
選択肢として、該第１アップリンク信号及び該第２アップリンク信号は該端末装置が同じ周波数領域リソース集合内において同時に伝送するようにスケジューリングされたアップリンク信号でもあり、周波数領域リソース集合はキャリア（Ｃａｒｒｉｅｒ）、狭帯域幅（Ｂａｎｄｗｉｄｔｈ  Ｐａｒｔ）、サブバンド（Ｓｕｂｂａｎｄ）及び物理リソースブロック（ＰＲＢ、ｐｈｙｓｉｃａｌ  ｒｅｓｏｕｒｃｅ  ｂｌｏｃｋ）集合のうちのいずれか１つを含む。ここで、狭帯域幅はユーザーのスケジューリングのために使用される１つの周波数バンドを指してもよく、１つの狭帯域幅では同じサブキャリア間隔を使用してもよく、異なる狭帯域幅では異なるサブキャリア間隔を使用してもよい。
【００５４】
具体的には、該目標時間領域リソースは上記周波数領域リソース集合に対応し、該目標時間領域リソースと上記周波数領域リソース集合によって時間周波数リソースが形成される。該時間周波数リソースは連続した複数の時間周波数リソースユニットで構成されてもよく、時間周波数リソースユニットは通信システムにおける（例えば、情報伝送又はリソース割り当てに使用される）リソース単位であってもよい。
【００５５】
注意されるべきように、以上に列挙した周波数領域リソース集合は単に例示的な説明であり、本発明はこれに限らず、時間周波数リソースの分布形式に基づき、該周波数領域リソース集合の形式を決定してもよい。
【００５６】
以下、端末装置がアップリンク伝送のマルチアドレス方式を決定する実現方式を説明する。
【００５７】
本発明の実施例では、上記アップリンク伝送のマルチアドレス方式は離散フーリエ変換−拡散−直交周波数分割多重（ＤＦＴ−Ｓ−ＯＦＤＭ、Ｄｉｓｃｒｅｔｅ  Ｆｏｕｒｉｅｒ  Ｔｒａｎｓｆｏｒｍ−Ｓｐｒｅａｄ−Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）であってもよいし、サイクリックプリフィックス−直交周波数分割多重（ＣＰ−ＯＦＤＭ、Ｃｙｃｌｉｃ  Ｐｒｅｆｉｘ−  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）であってもよい。ＤＦＴ−Ｓ−ＯＦＤＭはアップリンク単層伝送にしか使用できず、ＣＰ−ＯＦＤＭはアップリンク単層又は多層伝送に使用できる。
【００５８】
なお、更に理解されるように、端末装置が現在どのマルチアドレス方式を使用するかは、ネットワーク装置が端末装置のアップリンクチャネル品質に基づいて設定してもよい。即ち、本発明の実施例におけるアップリンク伝送のマルチアドレス方式は端末装置のアップリンクチャネル伝送のマルチアドレス方式であってもよい。
【００５９】
例えば、該アップリンク伝送のマルチアドレス方式は物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）伝送のマルチアドレス方式であってもよい。
【００６０】
更に、例えば、該アップリンク伝送のマルチアドレス方式は物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）伝送のマルチアドレス方式であってもよい。
【００６１】
例えば、ネットワーク装置に設定されたＰＵＳＣＨ伝送のマルチアドレス方式及びＰＵＣＣＨ伝送のマルチアドレス方式がいずれもＤＦＴ−Ｓ−ＯＦＤＭであると仮定すれば、端末装置は該アップリンク伝送のマルチアドレス方式をＤＦＴ−Ｓ−ＯＦＤＭに直接決定できる。ネットワーク装置に設定されたＰＵＳＣＨ伝送のマルチアドレス方式及びＰＵＣＣＨ伝送のマルチアドレス方式がいずれもＣＰ−ＯＦＤＭであると仮定すれば、端末装置は該アップリンク伝送のマルチアドレス方式をＣＰ−ＯＦＤＭに直接決定できる。
【００６２】
注意されるべきように、ネットワーク装置に設定されたＰＵＳＣＨ伝送のマルチアドレス方式とＰＵＣＣＨ伝送のマルチアドレス方式とが異なる場合、選択肢として、端末装置はデフォルトでＰＵＣＣＨ伝送のマルチアドレス方式を該アップリンク伝送のマルチアドレス方式としてもよい。例えば、ネットワーク装置に設定されたＰＵＳＣＨ伝送のマルチアドレス方式はＣＰ−ＯＦＤＭであり、そしてＰＵＣＣＨ伝送のマルチアドレス方式はＤＦＴ−Ｓ−ＯＦＤＭであると仮定すれば、端末装置は該アップリンク伝送のマルチアドレス方式をＤＦＴ−Ｓ−ＯＦＤＭに決定できる。
【００６３】
しかしながら、本発明の実施例はこれに限らず、例えば、端末装置は任意に１つのマルチアドレス方式を該アップリンク伝送のマルチアドレス方式として選択してもよい。
【００６４】
本発明の実施例では、ＤＦＴ−Ｓ−ＯＦＤＭはアップリンク単層伝送にしか使用できず、ＣＰ−ＯＦＤＭはアップリンク単層又は多層伝送に使用できるため、以下にそれぞれ上記アップリンク伝送のマルチアドレス方式がＤＦＴ−Ｓ−ＯＦＤＭである場合、及び上記アップリンク伝送のマルチアドレス方式がＣＰ−ＯＦＤＭである場合に対して、本発明の実施例のデータ伝送方法を説明する。
【００６５】
上記アップリンク伝送のマルチアドレス方式がＣＰ−ＯＦＤＭである場合に対して、
選択肢として、該アップリンク伝送のマルチアドレス方式がＣＰ−ＯＦＤＭである場合、該目標時間領域リソースにおいて該第１アップリンク信号及び該第２アップリンク信号を同時に伝送する。
【００６６】
具体的には、該目標時間領域リソースは連続する複数の時間周波数リソースユニットで構成されてもよく、時間周波数リソースユニットは通信システムにおける（例えば、情報伝送又はリソース割り当てに使用される）リソース単位であってもよいため、本発明の実施例では、端末装置は第１アップリンク信号の占有する周波数領域リソース及び第２アップリンク信号の占有する周波数領域リソースに基づき、第１アップリンク信号及び第２アップリンク信号の目標時間領域リソースにおける多重化方式を決定することができる。
【００６７】
例えば、該第１アップリンク信号の占有する周波数領域リソースと第２アップリンク信号の占有する周波数領域リソースとが重複しない場合、周波数分割多重化方式で該目標時間領域リソースにおいて該第１アップリンク信号及び該第２アップリンク信号を同時に伝送する。
【００６８】
更に、例えば、該第１アップリンク信号の占有する周波数領域リソースと第２アップリンク信号の占有する周波数領域リソースとが部分的又は全体的に重複する場合、重複する周波数領域リソースにおいて、該第１アップリンク信号及び該第２アップリンク信号を同時に送信する。
【００６９】
更に、例えば、該アップリンク伝送のマルチアドレス方式がＣＰ−ＯＦＤＭであって、該第１アップリンク信号の占有する周波数領域リソースと第２アップリンク信号の占有する周波数領域リソースとが部分的又は全体的に重複する場合、該第１アップリンク信号及び該第２アップリンク信号において、第３アップリンク信号を決定し、重複する周波数領域リソースにおいて、該第３アップリンク信号を送信する。即ち、本発明の実施例では、該アップリンク伝送のマルチアドレス方式がＣＰ−ＯＦＤＭであって、該第１アップリンク信号の占有する周波数領域リソースと第２アップリンク信号の占有する周波数領域リソースとが部分的又は全体的に重複する場合、端末装置は該第１アップリンク信号及び該第２アップリンク信号の中から１つのアップリンク信号を選択して、該重複した周波数領域リソースにおいて該選択したアップリンク信号のみを送信する必要がある。
【００７０】
理解されるべきように、該第１アップリンク信号の占有する周波数領域リソースと第２アップリンク信号の占有する周波数領域リソースとが部分的に重複する場合、端末装置は更に重複していない周波数領域リソースにおいて、周波数分割多重化方式で該第１アップリンク信号及び該第２アップリンク信号を同時に伝送することができる。本発明は具体的に制限しない。
【００７１】
上記アップリンク伝送のマルチアドレス方式がＤＦＴ−Ｓ−ＯＦＤＭである場合に対して、
選択肢として、該アップリンク伝送のマルチアドレス方式がＤＦＴ−Ｓ−ＯＦＤＭである場合、該第１アップリンク信号及び該第２アップリンク信号において、第３アップリンク信号を決定し、該目標時間領域リソースにおいて、該第３アップリンク信号を送信する。
【００７２】
具体的には、該アップリンク伝送のマルチアドレス方式がＤＦＴ−Ｓ−ＯＦＤＭである場合、端末装置は該第１アップリンク信号及び該第２アップリンク信号の中から１つのアップリンク信号を選択して、該目標時間領域リソースにおいて該選択したアップリンク信号のみを送信する必要がある。
【００７３】
注意されるべきように、本発明の実施例では、該アップリンク伝送のマルチアドレス方式がＤＦＴ−Ｓ−ＯＦＤＭであるシーンにおいて、端末装置が第３アップリンク信号を選択する実現方式は、該アップリンク伝送のマルチアドレス方式がＣＰ−ＯＦＤＭであって、該第１アップリンク信号の占有する周波数領域リソースと第２アップリンク信号の占有する周波数領域リソースとが部分的又は全体的に重複するシーンにおける、端末装置が第３アップリンク信号を選択する方式と同じであってもよいし、同じでなくてもよく、本発明の実施例は具体的に制限しない。
【００７４】
以下、本発明の実施例において端末装置が第３アップリンク信号を選択する実現方式を説明する。
【００７５】
選択肢として、端末装置は該第１アップリンク信号の優先度及び該第２アップリンク信号の優先度を決定し、該第１アップリンク信号及び該第２アップリンク信号において、該第１アップリンク信号の優先度及び該第２アップリンク信号の優先度に基づいて該第３アップリンク信号を決定することができる。
【００７６】
一実施例として、例示的に、端末装置は該第１アップリンク信号の属する信号タイプ及び該第２アップリンク信号の属する信号タイプに基づき、第１基準に従って該第１アップリンク信号の優先度及び該第２アップリンク信号の優先度を決定することができ、該第１基準は複数の信号タイプの間の優先度関係を含み、該複数の信号タイプは該第１アップリンク信号の属する信号タイプ及び該第２アップリンク信号の属する信号タイプを含む。
【００７７】
該複数の信号タイプは、
サウンディング基準信号（ＳＲＳ）、物理アップリンク制御チャネル（ＰＵＣＣＨ）、位相追跡基準信号（ＰＴＲＳ）及び物理アップリンク共有チャネル（ＰＵＳＣＨ）を含んでもよい。
【００７８】
該第１基準は、
該ＰＵＣＣＨの優先度が該ＰＵＳＣＨの優先度より高い、該ＰＵＣＣＨの優先度が該ＳＲＳの優先度より高い、該ＰＵＣＣＨの優先度が該ＰＴＲＳの優先度より高い、該ＰＴＲＳの優先度が該ＳＲＳの優先度より高い、及び該ＰＵＳＣＨの優先度が該ＳＲＳの優先度より高いという基準のうちの少なくとも１つを含む。
【００７９】
更に、該第１アップリンク信号及び該第２アップリンク信号がいずれも第１信号タイプに属する場合、該第１アップリンク信号に含まれる情報及び該第２アップリンク信号に含まれる情報に基づき、第２基準に従って該第１アップリンク信号の優先度及び該第２アップリンク信号の優先度を決定し、該第２基準は該第１信号タイプにおける複数のアップリンク信号の間の優先度関係を含む。
【００８０】
該第２基準は、
肯定応答／否定応答（ＡＣＫ／ＮＡＣＫ）情報を含むＰＵＣＣＨの優先度がチャネル状態情報（ＣＳＩ）を含むＰＵＣＣＨの優先度より高い、アップリンク制御情報（ＵＣＩ）を含むＰＵＳＣＨの優先度がＵＣＩを含まないＰＵＳＣＨの優先度より高い、及び超高信頼性超低遅延（ＵＲＬＬＣ）データを含むＰＵＳＣＨの優先度が拡張モバイルブロードバンド（ｅＭＢＢ）データを含むＰＵＳＣＨの優先度より高いという基準のうちの少なくとも１つを含む。
【００８１】
別の実施例として、例示的に、端末装置は該第１アップリンク信号に対応するスケジューリングシグナリング及び該第２アップリンク信号に対応するスケジューリングシグナリングに基づき、該第１アップリンク信号の優先度及び該第２アップリンク信号の優先度を決定することができる。
【００８２】
例えば、該スケジューリングシグナリングはダウンリンク制御情報（ＤＣＩ）であり、該ＤＣＩはアップリンク信号優先度を示すための指示情報を含む。端末装置は該第１アップリンク信号に対応するダウンリンク制御情報（ＤＣＩ）におけるアップリンク信号優先度を示すための指示情報及び該第２アップリンク信号に対応するＤＣＩにおけるアップリンク信号優先度を示すための指示情報に基づき、該第１アップリンク信号の優先度及び該第２アップリンク信号の優先度を決定することができる。
【００８３】
更に、例えば、該スケジューリングシグナリングはダウンリンク制御情報（ＤＣＩ）であり、該ＤＣＩはアップリンク信号の変調及び符号化ポリシー（ＭＣＳ）インデックス値を含み、該ＭＣＳインデックス値は該アップリンク信号の優先度に正比例又は反比例する。端末装置は該第１アップリンク信号に対応するダウンリンク制御情報（ＤＣＩ）におけるＭＣＳインデックス値及び該第２アップリンク信号に対応するＤＣＩにおけるＭＣＳインデックス値に基づき、該第１アップリンク信号の優先度及び該第２アップリンク信号の優先度を決定することができる。
【００８４】
別の実施例として、例示的に、端末装置は該第１アップリンク信号に対応するスケジューリングシグナリング及び該第２アップリンク信号に対応するスケジューリングシグナリングの受信順序に基づき、該第１アップリンク信号の優先度及び該第２アップリンク信号の優先度を決定することができ、該受信順序は該第１アップリンク信号及び該第２アップリンク信号の優先度順序に正比例又は反比例する。
【００８５】
別の実施例として、例示的に、端末装置は該第１アップリンク信号に対応するセルタイプ及び該第２アップリンク信号に対応するセルタイプに基づき、該第１アップリンク信号の優先度及び該第２アップリンク信号の優先度を決定することができ、該端末装置のサービングセルの優先度が該サービングセル以外のセルの優先度より高い。
【００８６】
図３は本発明の実施例の端末装置３００の模式的なブロック図である。
【００８７】
図３に示すように、該端末装置３００は、
アップリンク伝送のマルチアドレス方式を決定することと、前記アップリンク伝送のマルチアドレス方式に基づき、第１アップリンク信号及び第２アップリンク信号の目標時間領域リソースにおける多重化方式を決定し、前記第１アップリンク信号及び第２アップリンク信号は端末装置が前記目標時間領域リソースにおいて同時に伝送するようにスケジューリングされた信号であることとに用いられる処理ユニット３１０と、
前記多重化方式に基づき、前記第１アップリンク信号及び／又は前記第２アップリンク信号を伝送するための送受信ユニット３２０と、を備える。
【００８８】
選択肢として、該アップリンク伝送のマルチアドレス方式は物理アップリンク共有チャネル（ＰＵＳＣＨ）伝送のマルチアドレス方式であり、又は、該アップリンク伝送のマルチアドレス方式は物理アップリンク制御チャネル（ＰＵＣＣＨ）伝送のマルチアドレス方式である。
【００８９】
選択肢として、該アップリンク伝送のマルチアドレス方式は離散フーリエ変換−拡散−直交周波数分割多重（ＤＦＴ−Ｓ−ＯＦＤＭ）及びサイクリックプリフィックス−直交周波数分割多重（ＣＰ−ＯＦＤＭ）を含む。
【００９０】
選択肢として、該処理ユニット３１０は、具体的に、
該アップリンク伝送のマルチアドレス方式がＣＰ−ＯＦＤＭである場合、該目標時間領域リソースにおいて該第１アップリンク信号及び該第２アップリンク信号を同時に伝送することに用いられる。
【００９１】
選択肢として、該送受信ユニット３２０は、具体的に、
該第１アップリンク信号の占有する周波数領域リソースと第２アップリンク信号の占有する周波数領域リソースとが重複しない場合、周波数分割多重化方式で該目標時間領域リソースにおいて該第１アップリンク信号及び該第２アップリンク信号を同時に伝送することに用いられる。
【００９２】
選択肢として、該送受信ユニット３２０は、具体的に、
該第１アップリンク信号の占有する周波数領域リソースと第２アップリンク信号の占有する周波数領域リソースとが部分的又は全体的に重複する場合、重複する周波数領域リソースにおいて、該第１アップリンク信号及び該第２アップリンク信号を同時に送信することに用いられる。
【００９３】
選択肢として、該処理ユニット３１０は、具体的に、
該アップリンク伝送のマルチアドレス方式がＣＰ−ＯＦＤＭであって、該第１アップリンク信号の占有する周波数領域リソースと第２アップリンク信号の占有する周波数領域リソースとが部分的又は全体的に重複する場合、該第１アップリンク信号及び該第２アップリンク信号において、第３アップリンク信号を決定することと、重複する周波数領域リソースにおいて、該第３アップリンク信号を送信することとに用いられる。
【００９４】
選択肢として、該処理ユニット３１０は、具体的に、
該アップリンク伝送のマルチアドレス方式がＤＦＴ−Ｓ−ＯＦＤＭである場合、該第１アップリンク信号及び該第２アップリンク信号において、第３アップリンク信号を決定することと、該目標時間領域リソースにおいて、該第３アップリンク信号を送信することとに用いられる。
【００９５】
選択肢として、該処理ユニット３１０は、更に、具体的に、
該第１アップリンク信号の優先度及び該第２アップリンク信号の優先度を決定することと、該第１アップリンク信号及び該第２アップリンク信号において、該第１アップリンク信号の優先度及び該第２アップリンク信号の優先度に基づいて該第３アップリンク信号を決定することとに用いられる。
【００９６】
選択肢として、該処理ユニット３１０は、更に、具体的に、
該第１アップリンク信号の属する信号タイプ及び該第２アップリンク信号の属する信号タイプに基づき、第１基準に従って該第１アップリンク信号の優先度及び該第２アップリンク信号の優先度を決定することに用いられ、該第１基準は複数の信号タイプの間の優先度関係を含み、該複数の信号タイプは該第１アップリンク信号の属する信号タイプ及び該第２アップリンク信号の属する信号タイプを含む。
【００９７】
選択肢として、該複数の信号タイプは、
サウンディング基準信号（ＳＲＳ）、物理アップリンク制御チャネル（ＰＵＣＣＨ）、位相追跡基準信号（ＰＴＲＳ）及び物理アップリンク共有チャネル（ＰＵＳＣＨ）を含む。
【００９８】
選択肢として、該第１基準は、
該ＰＵＣＣＨの優先度が該ＰＵＳＣＨの優先度より高い、該ＰＵＣＣＨの優先度が該ＳＲＳの優先度より高い、該ＰＵＣＣＨの優先度が該ＰＴＲＳの優先度より高い、該ＰＴＲＳの優先度が該ＳＲＳの優先度より高い、及び該ＰＵＳＣＨの優先度が該ＳＲＳの優先度より高いという基準のうちの少なくとも１つを含む。
【００９９】
選択肢として、該処理ユニット３１０は、更に、具体的に、
該第１アップリンク信号及び該第２アップリンク信号がいずれも第１信号タイプに属する場合、該第１アップリンク信号に含まれる情報及び該第２アップリンク信号に含まれる情報に基づき、第２基準に従って該第１アップリンク信号の優先度及び該第２アップリンク信号の優先度を決定することに用いられ、該第２基準は該第１信号タイプにおける複数のアップリンク信号の間の優先度関係を含む。
【０１００】
選択肢として、該第２基準は、
肯定応答／否定応答（ＡＣＫ／ＮＡＣＫ）情報を含むＰＵＣＣＨの優先度がチャネル状態情報（ＣＳＩ）を含むＰＵＣＣＨの優先度より高い、アップリンク制御情報（ＵＣＩ）を含むＰＵＳＣＨの優先度がＵＣＩを含まないＰＵＳＣＨの優先度より高い、及び超高信頼性超低遅延（ＵＲＬＬＣ）データを含むＰＵＳＣＨの優先度が拡張モバイルブロードバンド（ｅＭＢＢ）データを含むＰＵＳＣＨの優先度より高いという基準のうちの少なくとも１つを含む。
【０１０１】
選択肢として、該処理ユニット３１０は、更に、具体的に、
該第１アップリンク信号に対応するスケジューリングシグナリング及び該第２アップリンク信号に対応するスケジューリングシグナリングに基づき、該第１アップリンク信号の優先度及び該第２アップリンク信号の優先度を決定することに用いられる。
【０１０２】
選択肢として、該スケジューリングシグナリングはダウンリンク制御情報（ＤＣＩ）であり、該ＤＣＩはアップリンク信号優先度を示すための指示情報を含み、該処理ユニット３１０は、更に、具体的に、
該第１アップリンク信号に対応するダウンリンク制御情報（ＤＣＩ）におけるアップリンク信号優先度を示すための指示情報及び該第２アップリンク信号に対応するＤＣＩにおけるアップリンク信号優先度を示すための指示情報に基づき、該第１アップリンク信号の優先度及び該第２アップリンク信号の優先度を決定することに用いられる。
【０１０３】
選択肢として、該スケジューリングシグナリングはダウンリンク制御情報（ＤＣＩ）であり、該ＤＣＩはアップリンク信号の変調及び符号化ポリシー（ＭＣＳ）インデックス値を含み、該ＭＣＳインデックス値は該アップリンク信号の優先度に正比例又は反比例し、該処理ユニット３１０は、更に、具体的に、
該第１アップリンク信号に対応するダウンリンク制御情報（ＤＣＩ）におけるＭＣＳインデックス値及び該第２アップリンク信号に対応するＤＣＩにおけるＭＣＳインデックス値に基づき、該第１アップリンク信号の優先度及び該第２アップリンク信号の優先度を決定することに用いられる。
【０１０４】
選択肢として、該処理ユニット３１０は、更に、具体的に、
該第１アップリンク信号に対応するスケジューリングシグナリング及び該第２アップリンク信号に対応するスケジューリングシグナリングの受信順序に基づき、該第１アップリンク信号の優先度及び該第２アップリンク信号の優先度を決定することに用いられ、該受信順序は該第１アップリンク信号及び該第２アップリンク信号の優先度順序に正比例又は反比例する。
【０１０５】
選択肢として、該処理ユニット３１０は、更に、具体的に、
該第１アップリンク信号に対応するセルタイプ及び該第２アップリンク信号に対応するセルタイプに基づき、該第１アップリンク信号の優先度及び該第２アップリンク信号の優先度を決定することに用いられ、該端末装置のサービングセルの優先度が該サービングセル以外のセルの優先度より高い。
【０１０６】
選択肢として、該第１アップリンク信号及び該第２アップリンク信号は該端末装置が同じ周波数領域リソース集合内において同時に伝送するようにスケジューリングされたアップリンク信号であり、周波数領域リソース集合は、
キャリア、狭帯域幅、サブバンド及び物理リソースブロック（ＰＲＢ）集合のうちのいずれか１つを含む。
【０１０７】
注意されるべきように、本発明の実施例では、処理ユニット３１０はプロセッサにより実現されてもよく、送受信ユニット３２０は送受信機により実現されてもよい。図４に示すように、端末装置４００はプロセッサ４１０、送受信機４２０及びメモリ４３０を備えてもよい。メモリ４３０は指示情報を記憶することに用いられてもよいし、更にプロセッサ４１０の実行するコード、命令等を記憶することに用いられてもよい。端末装置４００の各コンポーネントはバスシステムによって接続され、バスシステムはデータバスのほか、更に電源バス、制御バス及び状態信号バスを含む。
【０１０８】
図４に示される端末装置４００は前述の図２における方法実施例における端末装置の実現する各過程を実現することができ、重複を避けるため、ここで詳細な説明は省略する。
【０１０９】
即ち、本発明の実施例の方法実施例はプロセッサに適用され、又はプロセッサにより実現されることができる。プロセッサは信号処理機能を有する集積回路チップでありうる。実現過程において、上記方法実施例の各ステップはプロセッサにおけるハードウェアの集積論理回路又はソフトウェア形式の命令で行われてよい。上記プロセッサは汎用プロセッサ、デジタルシグナルプロセッサ（ＤＳＰ、ｄｉｇｉｔａｌ  ｓｉｇｎａｌ  ｐｒｏｃｅｓｓｏｒ）、特定用途向け集積回路（ＡＳＩＣ、ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ、ｆｉｅｌｄ  ｐｒｏｇｒａｍｍａｂｌｅ  ｇａｔｅ  ａｒｒａｙ）又は他のプログラマブルロジックデバイス、トランジスタロジックデバイス、個別ハードウェアコンポーネントであってよい。本発明の実施例に開示される各方法、ステップ及び論理ブロックを実現又は実行することができる。汎用プロセッサはマイクロプロセッサであってもよく、又は該プロセッサはいかなる通常のプロセッサ等であってもよい。本発明の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサがメモリにおける情報を読み取り、そのハードウェアと組み合わせて上記方法のステップを行う。
【０１１０】
理解されるように、本発明の実施例では、メモリは揮発性メモリであっても、又は不揮発性メモリであってもよく、又は、揮発性メモリ及び不揮発性メモリの両方を含んでもよい。不揮発性メモリは読み出し専用メモリ（ＲＯＭ、ｒｅａｄ−ｏｎｌｙ  ｍｅｍｏｒｙ）、プログラム可能読み出し専用メモリ（ＰＲＯＭ、ｐｒｏｇｒａｍｍａｂｌｅ  ＲＯＭ）、消去可能プログラム可能読み出し専用メモリ（ＥＰＲＯＭ、ｅｒａｓａｂｌｅ  ＰＲＯＭ）、電気的消去可能プログラム可能読み出し専用メモリ（ＥＥＰＲＯＭ、ｅｌｅｃｔｒｉｃａｌｌｙ  ＥＰＲＯＭ）又はフラッシュメモリであってよい。揮発性メモリは外部キャッシュメモリとして使用されるランダムアクセスメモリ（ＲＡＭ、ｒａｎｄｏｍ  ａｃｃｅｓｓ  ｍｅｍｏｒｙ）であってよい。例示的な説明であって制限的ではないが、多くの形式のＲＡＭ、例えばスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）が利用可能である。注意されるべきように、本明細書に説明されるシステム及び方法のメモリはこれらのメモリ及び任意の他の適切なタイプのメモリを含んでもよいが、それらに限らないように意図されるものである。
【０１１１】
最後に、注意されるべきように、本発明の実施例及び添付の特許請求の範囲に使用される用語は特定の実施例を説明するためのものであり、本発明の実施例を制限するためのものではない。
【０１１２】
例えば、上下の文脈において他の意味を明確に示していない限り、本発明の実施例及び添付の特許請求の範囲に使用される単数形式の「１つ」、「前記」及び「該」は複数形式も含むように意図されている。
【０１１３】
更に、例えば、本発明の実施例では用語「第１タイプのセル群」と「第２タイプのセル群」を用いる可能性があるが、これらのタイプのセル群はこれらの用語に限らない。これらの用語は異なるタイプのセル群を区分するためのものである。
【０１１４】
更に、例えば、コンテクストによって、ここで使用される用語「○○時」は「○○であれば」又は「○○場合」又は「○○際」又は「決定に応答する」又は「検出に応答する」と解釈されてもよい。それと似ていて、コンテクストによって、連語「決定すれば」又は「（陳述した条件又はイベントを）検出すれば」は「決定する時」又は「決定に応答する」又は「（陳述した条件又はイベントを）検出する時」又は「（陳述した条件又はイベントの）検出に応答する」と解釈されてもよい。
【０１１５】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本発明の実施例の範囲を超えるものと見なされるべきではない。
【０１１６】
当業者であれば明確に理解できるように、説明を容易且つ簡単にするために、上記説明されるシステム、装置及びユニットの具体的な動作過程は、前述の方法実施例における対応過程を参照してもよく、ここで詳細な説明は省略する。
【０１１７】
本願に係るいくつかの実施例において、理解されるべきように、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってよく、電気、機械又は他の形式であってよい。
【０１１８】
分離部材として説明される前記ユニットは物理的に分離してもよいし、物理的に分離しなくてもよく、ユニットとして表示される部材は物理ユニットであってもよいし、物理ユニットでなくてもよく、即ち、一箇所に位置してもよいし、複数のネットワークユニットに配置されてもよい。実際の必要に応じて、その一部又は全部のユニットを選択して本発明の実施例の目的を実現してもよい。
【０１１９】
また、本発明の実施例では、各機能ユニットは１つの処理ユニットに統合されてもよく、各ユニットは独立して物理的に存在してもよく、２つ又は２つ以上のユニットが１つのユニットに統合されてもよい。
【０１２０】
ソフトウェア機能ユニットの形式で実現され、独立した製品として販売又は使用されるときは、１つのコンピュータ可読記憶媒体に記憶されてもよい。このような理解に基づき、本発明の実施例の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本発明の実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ、ランダムアクセスメモリ、磁気ディスク又は光ディスク等のプログラムコードを記憶できる様々な媒体を含む。
【０１２１】
以上の説明は本発明の実施例の具体的な実施形態に過ぎず、本発明の実施例の保護範囲を制限するためのものではなく、当業者が本発明の実施例に開示される技術的範囲内で容易に想到し得る変更や置換は、いずれも本発明の実施例の保護範囲内に含まれるべきである。従って、本発明の実施例の保護範囲は特許請求の範囲に準じるべきである。
【図１】
2020533827.tif 000003
【図２】
2020533827.tif 000004
【図３】
2020533827.tif 000005
【図４】
2020533827.tif 000006
【手続補正書】
【提出日】令和2年7月10日(2020.7.10)
【手続補正１】
【補正対象書類名】明細書
【補正対象項目名】００９０
【補正方法】変更
【補正の内容】
【００９０】
選択肢として、該送受信ユニット３２０は、具体的に、
該アップリンク伝送のマルチアドレス方式がＣＰ−ＯＦＤＭである場合、該目標時間領域リソースにおいて該第１アップリンク信号及び該第２アップリンク信号を同時に伝送することに用いられる。
【手続補正２】
【補正対象書類名】明細書
【補正対象項目名】００９３
【補正方法】変更
【補正の内容】
【００９３】
選択肢として、該処理ユニット３１０は、具体的に、
該アップリンク伝送のマルチアドレス方式がＣＰ−ＯＦＤＭであって、該第１アップリンク信号の占有する周波数領域リソースと第２アップリンク信号の占有する周波数領域リソースとが部分的又は全体的に重複する場合、該第１アップリンク信号及び該第２アップリンク信号において、第３アップリンク信号を決定することと、重複する周波数領域リソースにおいて、前記送受信ユニット３２０によって該第３アップリンク信号を送信することとに用いられる。
【手続補正３】
【補正対象書類名】明細書
【補正対象項目名】００９４
【補正方法】変更
【補正の内容】
【００９４】
選択肢として、該処理ユニット３１０は、具体的に、
該アップリンク伝送のマルチアドレス方式がＤＦＴ−Ｓ−ＯＦＤＭである場合、該第１アップリンク信号及び該第２アップリンク信号において、第３アップリンク信号を決定することと、該目標時間領域リソースにおいて、前記送受信ユニット３２０によって該第３アップリンク信号を送信することとに用いられる。
【手続補正４】
【補正対象書類名】特許請求の範囲
【補正対象項目名】全文
【補正方法】変更
【補正の内容】
【特許請求の範囲】
【請求項１】
データ伝送方法であって、
アップリンク伝送のマルチアドレス方式を決定することと、
前記アップリンク伝送のマルチアドレス方式に基づき、第１アップリンク信号及び第２アップリンク信号の目標時間領域リソースにおける多重化方式を決定し、前記第１アップリンク信号及び第２アップリンク信号は端末装置が前記目標時間領域リソースにおいて同時に伝送するようにスケジューリングされた信号であることと、
前記多重化方式に基づき、前記第１アップリンク信号及び／又は前記第２アップリンク信号を伝送することと、を含むことを特徴とするデータ伝送方法。
【請求項２】
前記アップリンク伝送のマルチアドレス方式は離散フーリエ変換−拡散−直交周波数分割多重（ＤＦＴ−Ｓ−ＯＦＤＭ）及びサイクリックプリフィックス−直交周波数分割多重（ＣＰ−ＯＦＤＭ）を含むことを特徴とする請求項１に記載の方法。
【請求項３】
前記アップリンク伝送のマルチアドレス方式に基づき、第１アップリンク信号及び第２アップリンク信号の目標時間領域リソースにおける多重化方式を決定することは、
前記アップリンク伝送のマルチアドレス方式がＣＰ−ＯＦＤＭである場合、前記目標時間領域リソースにおいて前記第１アップリンク信号及び前記第２アップリンク信号を同時に伝送することを含むことを特徴とする請求項１又は２に記載の方法。
【請求項４】
前記アップリンク伝送のマルチアドレス方式に基づき、第１アップリンク信号及び第２アップリンク信号の目標時間領域リソースにおける多重化方式を決定することは、
前記アップリンク伝送のマルチアドレス方式がＤＦＴ−Ｓ−ＯＦＤＭである場合、前記第１アップリンク信号及び前記第２アップリンク信号において、第３アップリンク信号を決定することと、
前記目標時間領域リソースにおいて、前記第３アップリンク信号を送信することと、を含むことを特徴とする請求項１又は２に記載の方法。
【請求項５】
前記第１アップリンク信号及び前記第２アップリンク信号において、第３アップリンク信号を決定することは、
前記第１アップリンク信号の優先度及び前記第２アップリンク信号の優先度を決定することと、
前記第１アップリンク信号及び前記第２アップリンク信号において、前記第１アップリンク信号の優先度及び前記第２アップリンク信号の優先度に基づいて前記第３アップリンク信号を決定することと、を含むことを特徴とする請求項４に記載の方法。
【請求項６】
前記第１アップリンク信号の優先度及び前記第２アップリンク信号の優先度を決定することは、
前記第１アップリンク信号の属する信号タイプ及び前記第２アップリンク信号の属する信号タイプに基づき、第１基準に従って前記第１アップリンク信号の優先度及び前記第２アップリンク信号の優先度を決定し、前記第１基準は複数の信号タイプの間の優先度関係を含み、前記複数の信号タイプは前記第１アップリンク信号の属する信号タイプ及び前記第２アップリンク信号の属する信号タイプを含むことを含むことを特徴とする請求項５に記載の方法。
【請求項７】
前記第１アップリンク信号の優先度及び前記第２アップリンク信号の優先度を決定することは、
前記第１アップリンク信号及び前記第２アップリンク信号がいずれも第１信号タイプに属する場合、前記第１アップリンク信号に含まれる情報及び前記第２アップリンク信号に含まれる情報に基づき、第２基準に従って前記第１アップリンク信号の優先度及び前記第２アップリンク信号の優先度を決定し、前記第２基準は前記第１信号タイプにおける複数のアップリンク信号の間の優先度関係を含むことを含むことを特徴とする請求項５又は６に記載の方法。
【請求項８】
前記第１アップリンク信号及び前記第２アップリンク信号は前記端末装置が同じ周波数領域リソース集合内において同時に伝送するようにスケジューリングされたアップリンク信号であり、周波数領域リソース集合は、
キャリア、狭帯域幅、サブバンド及び物理リソースブロック（ＰＲＢ）集合のうちのいずれか１つを含むことを特徴とする請求項１〜７のいずれか１項に記載の方法。
【請求項９】
端末装置であって、
アップリンク伝送のマルチアドレス方式を決定することと、前記アップリンク伝送のマルチアドレス方式に基づき、第１アップリンク信号及び第２アップリンク信号の目標時間領域リソースにおける多重化方式を決定することとに用いられ、前記第１アップリンク信号及び第２アップリンク信号は端末装置が前記目標時間領域リソースにおいて同時に伝送するようにスケジューリングされた信号である処理ユニットと、
前記多重化方式に基づき、前記第１アップリンク信号及び／又は前記第２アップリンク信号を伝送するための送受信ユニットと、を備えることを特徴とする端末装置。
【請求項１０】
前記アップリンク伝送のマルチアドレス方式は離散フーリエ変換−拡散−直交周波数分割多重（ＤＦＴ−Ｓ−ＯＦＤＭ）及びサイクリックプリフィックス−直交周波数分割多重（ＣＰ−ＯＦＤＭ）を含むことを特徴とする請求項９に記載の端末装置。
【請求項１１】
前記処理ユニットは、具体的に、
前記アップリンク伝送のマルチアドレス方式がＣＰ−ＯＦＤＭである場合、前記目標時間領域リソースにおいて前記第１アップリンク信号及び前記第２アップリンク信号を同時に伝送することに用いられることを特徴とする請求項９又は１０に記載の端末装置。
【請求項１２】
前記処理ユニットは、具体的に、
前記アップリンク伝送のマルチアドレス方式がＤＦＴ−Ｓ−ＯＦＤＭである場合、前記第１アップリンク信号及び前記第２アップリンク信号において、第３アップリンク信号を決定することと、
前記目標時間領域リソースにおいて、前記第３アップリンク信号を送信することとに用いられることを特徴とする請求項９又は１０に記載の端末装置。
【請求項１３】
前記処理ユニットは、更に、具体的に、
前記第１アップリンク信号の優先度及び前記第２アップリンク信号の優先度を決定することと、
前記第１アップリンク信号及び前記第２アップリンク信号において、前記第１アップリンク信号の優先度及び前記第２アップリンク信号の優先度に基づいて前記第３アップリンク信号を決定することとに用いられることを特徴とする請求項１２に記載の端末装置。
【請求項１４】
前記処理ユニットは、更に、具体的に、
前記第１アップリンク信号の属する信号タイプ及び前記第２アップリンク信号の属する信号タイプに基づき、第１基準に従って前記第１アップリンク信号の優先度及び前記第２アップリンク信号の優先度を決定することに用いられ、前記第１基準は複数の信号タイプの間の優先度関係を含み、前記複数の信号タイプは前記第１アップリンク信号の属する信号タイプ及び前記第２アップリンク信号の属する信号タイプを含むことを特徴とする請求項１３に記載の端末装置。
【請求項１５】
前記処理ユニットは、更に、具体的に、
前記第１アップリンク信号及び前記第２アップリンク信号がいずれも第１信号タイプに属する場合、前記第１アップリンク信号に含まれる情報及び前記第２アップリンク信号に含まれる情報に基づき、第２基準に従って前記第１アップリンク信号の優先度及び前記第２アップリンク信号の優先度を決定することに用いられ、前記第２基準は前記第１信号タイプにおける複数のアップリンク信号の間の優先度関係を含むことを特徴とする請求項１３又は１４に記載の端末装置。
【請求項１６】
前記第１アップリンク信号及び前記第２アップリンク信号は前記端末装置が同じ周波数領域リソース集合内において同時に伝送するようにスケジューリングされたアップリンク信号であり、周波数領域リソース集合は、
キャリア、狭帯域幅、サブバンド及び物理リソースブロック（ＰＲＢ）集合のうちのいずれか１つを含むことを特徴とする請求項９〜１５のいずれか１項に記載の端末装置。
【国際調査報告】
2020533827.tif 000007
2020533827.tif 000008
2020533827.tif 000009
2020533827.tif 000010
2020533827.tif 000011